(57)【特許請求の範囲】
【請求項１】
前部に開口部を有する食器洗い機本体と、
この食器洗い機本体に対し引き出し自在に設けられ、上方に開口を有する洗浄槽と、
この洗浄槽に収容され、食器等の被洗浄物を載置する食器かごと、
前記洗浄槽の四周壁の後部壁、両側の側壁の一方、前部壁の少なくとも１つに沿った位置に設けられて洗浄水を加圧する洗浄ポンプと、
この洗浄ポンプにより加圧された洗浄水を複数の吐出経路へ選択的に供給する分水手段と、
前記吐出経路の１つまたは複数を有し噴射口から被洗浄物に洗浄水を噴射する複数の洗浄ノズルとを備え、
前記分水手段は、
前記洗浄ポンプに連通する流入部をなす弁室と、
この弁室に接続されて前記複数の吐出経路と連通する複数の流出路を持った分水通路と、
前記弁室内に設けられて流入する洗浄水を前記複数の流出路に選択的に分流させるように切換える弁体とで構成され、
前記複数の洗浄ノズルの少なくとも１つは、
洗浄水を噴出させる噴射口を有する水平部と、
この水平部に洗浄水を導く立ち上がり部とを備えた非回転洗浄ノズルとし、
前記立ち上がり部は、
平面視して前記洗浄ポンプから外れた位置にて一端部が前記洗浄ポンプよりも高い位置まで立ち上げ、
前記水平部は、
前記立ち上がり部の一端部に接続され、
平面視して前記洗浄ポンプの少なくとも上方を経由するかまたは上方に位置して前記四周壁の少なくとも１つに設け、
前記複数の洗浄ノズルのさらに少なくとも１つは、前記洗浄槽の底部のほぼ中央に回転中心が位置する回転洗浄ノズルとし、
さらに前記分水手段は、前記洗浄ポンプの洗浄槽中央部側に設け、
前記弁室は、前記洗浄ポンプとの対向側に洗浄ポンプとの接続口を開口させ、
前記洗浄ポンプと前記分水手段と前記立ち上がり部とを、前記回転洗浄ノズルの回転中心と前記四周壁のうちの二壁で形成される１つのコーナとを結ぶ対角線を持ったほぼ１／４領域以内に配置した食器洗い機。
【請求項２】
前記分水通路は、前記複数の流出路のうちの少なくとも１つを一体形成して備えるとともに、非回転洗浄ノズルの立ち上がり部の他端部は、前記分水通路に一体形成した流出路に上方に向けて開口させて設けた流出口に上下方向で接続可能に構成された請求項１記載の食器洗い機。
【請求項３】
前記立ち上がり部を複数の吐出経路で構成し、この複数の吐出経路にそれぞれ対応させて水平部およびその吐出経路を設けるとともに、前記立ち上がり部の複数の吐出経路を、それぞれに対応させて設けた前記分水通路の複数の流出口に同時に接続、分離可能に設けた請求項１または２記載の食器洗い機。
【請求項４】
前記洗浄槽の底部を、前記後部壁、両側の側壁の一方、前部壁の少なくとも１つに沿って上方に膨出させた膨出部を設け、
この膨出部下の洗浄槽外の空間に前記洗浄ポンプおよびそれを駆動する駆動モータの少なくとも１つを配置し、
非回転洗浄ノズルは、水平部を前記後部壁、両側の側壁の一方、前部壁のうちの、少なくとも前記膨出部が沿った１つに設け、
立ち上がり部は、前記分水通路の平面視した前記洗浄ポンプの近傍で前記洗浄槽底部高さから上向きに開口して立ち上がった流出口に接続されて、前記後部壁、両側の側壁の一方、前部壁の少なくとも１つの近傍の、少なくとも１箇所で立ち上がっている請求項１〜３のいずれか１項記載の食器洗い機。
【発明の詳細な説明】
【技術分野】
【０００１】
本発明は、食器類の洗浄を行う食器洗い機に関し、さらに詳しくは、前部に開口部を有する食器洗い機本体と、この食器洗い機本体に対し引き出し自在に設けられ、上方に開口を有する洗浄槽と、この洗浄槽に収容され、食器等の被洗浄物を載置する食器かごと、洗浄水を加圧する洗浄ポンプと、この洗浄ポンプにより加圧された洗浄水を供給されて噴射させる洗浄ノズルとを備えた食器洗い機に関するものである。
【背景技術】
【０００２】
この種の食器洗い機は所謂ビルトインタイプと呼ばれ、食器洗い機本体は、下記特許文献１に見られるように単独の筐体に構成したり、下記特許文献２に見られるように流し台などの厨房家具に一体的に組み込むものとして提供されている。
【０００３】
いずれにしても、このタイプの食器洗い機は、載置型に比べて容量を大きくしやすい特徴があり、一度に多量の食器を洗うのに適している。食器の洗浄は、洗浄ポンプで加圧された洗浄水を、特許文献１、２に見られるように洗浄槽の底部のほぼ中央に回転中心を持つ大型の回転洗浄ノズルから回転を伴い広域に噴射することで行われている。洗浄水の噴射条件は一般に、食器の配置向きなどとの関係を配慮して最適に設定される。
【特許文献１】特開２００５−７３９９２号公報
【特許文献２】特開平６−１６９８２１号公報
【発明の開示】
【発明が解決しようとする課題】
【０００４】
しかし、このような食器洗い機は、近時、省エネやスピーディー処理のために節水や洗浄時間の短縮が望まれるなか、食器かごは食器の出し入れに自由度を確保する上で、食器などの載置条件を前記最適設定に見合うように規制し切れなかったり、処理量に差があったりし、食器側の洗浄条件がその時々で異なること等が影響して、最適な洗浄結果が常時保証し難くなってきている。
【０００５】
これに対応するには、洗浄ノズル数やその吐出経路を増やして洗浄能力を高めることが考えられる。一方、複数の洗浄ノズル、また、それらに設けられることのある１つまたは複数の吐出経路を複合的に働かせるには、洗浄ポンプからの洗浄液をそれら洗浄ノズルに備える各吐出経路に分水する必要がある。この場合、同時に分水させるのでは、洗浄水の循環に必要な総水量が増大してランニングコストが上昇し、その割には圧力が低下したり、複合した噴射が邪魔し合ったりして洗浄効率が低下することが考えられる。これには、複数の洗浄ノズル、吐出経路への分水を異時に行えば対応できるが、少なくとも１つの洗浄ノズルは従来からの回転洗浄ノズルを採用して優先使用し、この優先洗浄によって生じることのある洗浄のウイークポイント域に対して洗浄槽の周壁に沿って設けた非回転洗浄ノズルによって洗浄水を補助的に噴射するのが合理的といえる。いずれにしても、非回転洗浄ノズルは噴射域が狭く固定的で長くまたはおよび多く設けることが望まれる。
【０００６】
しかし、洗浄槽の底部に設ける回転洗浄ノズルは、洗浄槽の底部回りに設けられる洗浄ポンプに近く、吐出経路も短いが、非回転洗浄ノズルは洗浄槽内を所定高さまで立ち上がってから水平に延びる水平部を有して、洗浄槽内への平面視した所定域に洗浄水の噴射できるようにすることが考えられるところ、吐出経路が長くなり回転洗浄ノズルに比し洗浄水の初期噴射の遅れなど分水切換えの応答性が悪く、また圧力損失が生じやすい。
【０００７】
本発明の目的は、前部の開口からの引き出し式の洗浄槽を持ち、吐出経路を１つまたは複数持つ複数の洗浄ノズルを分水により選択的に働かせて効果的な洗浄を行うのに、少なくとも１つを平面視して洗浄ポンプと重複配置した非回転洗浄ノズルとして吐出経路を短くできる食器洗い機を提供することにある。
【課題を解決するための手段】
【０００８】
上記のような目的を達成するために、本発明の食器洗い機は、前部に開口部を有する食器洗い機本体と、この食器洗い機本体に対し引き出し自在に設けられ、上方に開口を有する洗浄槽と、この洗浄槽に収容され、食器等の被洗浄物を載置する食器かごと、前記洗浄槽の四周壁の後部壁、両側の側壁の一方、前部壁の少なくとも１つに沿った位置に設けられて洗浄水を加圧する洗浄ポンプと、この洗浄ポンプにより加圧された洗浄水を複数の吐出経路へ選択的に供給する分水手段と、前記吐出経路の１つまたは複数を有し噴射口から被洗浄物に洗浄水を噴射する複数の洗浄ノズルとを備え、前記分水手段は、前記洗浄ポンプに連通する流入部をなす弁室と、この弁室に接続されて前記複数の吐出経路と連通する複数の流出路を持った分水通路と、前記弁室内に設けられて流入する洗浄水を前記複数の流出路に選択的に分流させるように切換える弁体とで構成され、前記複数の洗浄ノズルの少なくとも１つは、洗浄水を噴出させる噴射口を有する水平部と、この水平部に洗浄水を導く立ち上がり部とを備えた非回転洗浄ノズルとし、前記立ち上がり部は、平面視して前記洗浄ポンプから外れた位置にて一端部が前記洗浄ポンプよりも高い位置まで立ち上げ、前記水平部は、前記立ち上がり部の一端部に接続され、平面視して前記洗浄ポンプの少なくとも上方を経由するかまたは上方に位置して前記四周壁の少なくとも１つに設け、前記複数の洗浄ノズルのさらに少なくとも１つは、前記洗浄槽の底部のほぼ中央に回転中心が位置する回転洗浄ノズルとし、さらに前記分水手段は、前記洗浄ポンプの洗浄槽中央部側に設け、前記弁室は、前記洗浄ポンプとの対向側に洗浄ポンプとの接続口を開口させ、前記洗浄ポンプと前記分水手段と前記立ち上がり部とを、前記回転洗浄ノズルの回転中心と前記四周壁のうちの二壁で形成される１つのコーナとを結ぶ対角線を持ったほぼ１／４領域以内に配置したものとしている。
【０００９】
このような構成によれば、食器洗い機本体の洗浄槽への給水後に洗浄ポンプを駆動すると、洗浄ポンプは洗浄槽内の洗浄水を吸い込み加圧して分水手段へ送り出し、分水手段は少なくとも１つが非回転洗浄ノズルである複数の洗浄ノズルの１つまたは複数の吐出経路に向け同時またはおよび異時に分水させて選択的に供給するので、少なくとも１つの非回転洗浄ノズルを含む複数の浄ノズルとそれらが持つ１つまたは複数の吐出経路による洗浄作用を選択的に複合させて、洗浄水を複数のノズル位置から多様なパターンで、洗浄槽内に噴出させて食器かごに載置された被洗浄物を洗浄することができる。
【００１０】
しかも、非回転洗浄ノズルは、洗浄槽の底部まわりに設けられる洗浄ポンプからの洗浄水を分水手段による分水にて、立ち上がり部を通じ水平部に供給されて噴射させるが、水平部は洗浄槽の四周壁の少なくとも１つに、それに沿って配置した洗浄ポンプの上方を経由するか上方に位置して設けたことにより、平面視して洗浄ポンプから外れた立ち上がり部を含み洗浄ポンプからの分水手段を介した給水経路長を、洗浄ポンプと邪魔し合わない引き回し経路にて短くすることができる。また、立ち上がり部によって水平部を洗浄槽の必要所定高さに位置させて、他の洗浄ノズルと複合して働かせられる。また、このような構成では、分水手段および洗浄ポンプが洗浄槽の底部の中央部と１つのコーナとを結ぶ対角線を持ったほぼ１／４領域内に位置して複数の洗浄ノズルおよびそれらが持つ１つまたは複数の吐出経路に分水することができ、全体の洗浄水供給経路が短くなるし、少なくとも１つの洗浄ノズルを洗浄槽の底部の中央部に回転中心を有して配置した回転洗浄ノズルとしてその回転中心部を支持し接続することで、分水、供給経路が前記１／４領域からさらに延出するのを回避することができるし、前記回転支持部と流出口との間の洗浄ポンプにより近い位置に弁室を設けて双方の接続距離をさらに短縮することができる。
【００１１】
また、前記分水通路は、前記複数の流出路のうちの少なくとも１つを一体形成して備えるとともに、非回転洗浄ノズルの立ち上がり部の他端部は、前記分水通路に一体形成した流出路に上方に向けて開口させて設けた流出口に上下方向で接続可能に構成されたものとすることができる。
【００１２】
このような構成では、洗浄ポンプからの洗浄水は、分水手段において、弁室内に流入して後、弁室に接続された分水通路に一体成形された少なくとも１つの流出路を経るだけの経路での分水により非回転洗浄ノズルに供給されるので、これによっても、給水経路が短くなる。また、非回転洗浄ノズルは前記流出路の上向きに開口した流出口に、他端部を上下方向に接続されるので、洗浄槽側の固定部となる分水手段の流出路との接続が洗浄槽内の上方から他の邪魔なしに行える。
【００１３】
また、前記立ち上がり部を複数の吐出経路で構成し、この複数の吐出経路にそれぞれ対応させて水平部およびその吐出経路を設けるとともに、前記立ち上がり部の複数の吐出経路を、それぞれに対応させて設けた前記分水通路の複数の流出口に同時に接続、分離可能に設けたものとすることができる。
【００１４】
このような構成では、非回転洗浄ノズルの吐出経路を複数にして洗浄水の噴射域を増大させて洗浄効果を高めながら、分水手段との接続はその分水通路における複数の流出口に対して同時に、つまり一挙動にて接続および分離することができる。
【００１５】
また、前記洗浄槽の底部を、前記後部壁、両側の側壁の一方、前部壁の少なくとも１つに沿って上方に膨出させた膨出部を設け、この膨出部下の洗浄槽外の空間に前記洗浄ポンプおよびそれを駆動する駆動モータの少なくとも１つを配置し、非回転洗浄ノズルは、水平部を前記後部壁、両側の側壁の一方、前部壁のうちの、少なくとも前記膨出部が沿った１つに設け、立ち上がり部は、前記分水通路の平面視した前記洗浄ポンプの近傍で前記洗浄槽底部高さから上向きに開口して立ち上がった流出口に接続されて、前記後部壁、両側の側壁の一方、前部壁の少なくとも１つの近傍の、少なくとも１箇所で立ち上がっているものとすることができる。
【００１６】
このような構成では、洗浄ポンプおよび駆動モータの少なくとも一つが、四周壁の少なくとも１つに沿って洗浄槽の底部を上方に膨出させた膨出部下の洗浄槽外の空間に位置するので、洗浄槽底部まわりで単独に突出してデッドスペースを作るのを抑えられ、非回転ノズルの水平部が前記四周壁の少なくとも前記膨出部が沿った１つに設けて、平面視して洗浄ポンプまたはおよび駆動モータの上に位置することを満足し、しかも、立ち上がり部が、分水通路の平面視した洗浄ポンプの近傍で洗浄槽底部高さから上向きに開口して立ち上がった流出口に簡単に接続できるし、この接続位置から前記後部壁、両側の側壁の一方、前部壁の少なくとも１つの近傍の、少なくとも１箇所で立ち上がっているので、洗浄槽四周壁内面での張り出し経路長が短くなり、四周壁などの洗浄に邪魔になりにくいし、引っ掛かりによる外力を受けにくい。
【００１７】
また、前記分水手段は、洗浄ポンプの洗浄槽中央部側に設け、前記弁室は、前記洗浄ポンプとの対向側に洗浄ポンプとの接続口を開口させたものとすることができる。
【００１８】
このような構成では、分水手段および洗浄ポンプが洗浄槽の底部の中央部と１つのコーナとを結ぶ対角線を持ったほぼ１／４領域内に位置して複数の洗浄ノズルおよびそれらが持つ１つまたは複数の吐出経路に分水することができ、全体の洗浄水供給経路が短くなるし、少なくとも１つの洗浄ノズルを洗浄槽の底部の中央部に回転中心を有して配置した回転洗浄ノズルとしてその回転中心部を支持し接続することで、分水、供給経路が前記１／４領域からさらに延出するのを回避することができるし、前記回転支持部と流出口との間の洗浄ポンプにより近い位置に弁室を設けて双方の接続距離をさらに短縮することができる。
【発明の効果】
【００１９】
本発明の食器洗い機によれば、少なくとも１つが非回転洗浄ノズルである複数の洗浄ノズルおよびそれに備えた１つまたは複数の吐出経路の働きの同時または異時での選択的な複合によって、洗浄水を複数のノズル位置から多様なパターンで洗浄槽内に噴出させることができ、洗浄水の総噴射域、総噴射密度、洗浄水の噴射向きの多様性が高まるので、より死角のない噴射によって洗浄効率を高められるし、互いに干渉し合う噴射モードどうしは異時となるように選択的に実行すれば洗浄効果は低減しないし、噴射の無駄が省ける。
【００２０】
それには、洗浄域が大きく洗浄効果の高い回転洗浄ノズルなど特定の洗浄ノズル、特定の吐出経路による洗浄を最優先して、予想され、または食器配置などの仕様の違いによって傾向が生じる洗浄のウイークポイントに対応した非回転洗浄ノズルを補助的に採用するのが好適である。しかも、複数の吐出経路への分水を異時に行う割合に応じて循環に必要な総水量を抑えてランニングコストも低減できるし圧力損失もより低減する。
【００２１】
特に、非回転洗浄ノズルは、洗浄ポンプからの洗浄水を分水手段による分水にて、立ち上がり部を通じ水平部に供給されて噴射させるが、水平部は洗浄槽の四周壁の少なくとも１つに、それに沿って配置した洗浄ポンプの上方を経由するか上方に位置して、洗浄槽の四周壁の少なくとも１つの内面の所定の高さから設定域に向け洗浄水を噴射して、他の洗浄ノズルと複合して働かせられるし、平面視して洗浄ポンプから外れた立ち上がり部を含み洗浄ポンプからの分水手段を介した給水経路長を、洗浄ポンプと邪魔し合わない高さで上下に重なる引き回し経路にて短くすることができる。
【発明を実施するための最良の形態】
【００２２】
以下、本発明の実施の形態に係る食器洗い機について図１〜図１０を参照しながら説明し、本発明の理解に供する。なお、以下の説明は本発明の具体例であって特許請求の範囲の記載内容を限定するものではない。
【００２３】
図１に模式的に示した、本実施の形態における食器洗浄機１００は、前部に開口部１を有する食器洗い機本体２と、この食器洗い機本体２に対し引き出し自在に設けられ、上方に開口３を有する洗浄槽４と、この洗浄槽４に収容され、食器等の被洗浄物を載置する食器かご６、７などと、洗浄方向の駆動によって洗浄水を加圧して洗浄に供し、または排水方向の駆動によって排水を行う洗浄・排水ポンプ８と、この洗浄・排水ポンプ８により加圧された洗浄水を、洗浄槽４の底部４ａのほぼ中央に回転中心１１が位置する回転洗浄ノズル１２の１つまたは複数の吐出経路と、洗浄槽４の四周壁４ｂの後部壁４ｂ１、両側の側壁４ｂ２、４ｂ３の一方、前部壁４ｂ４の少なくとも１つに設けられた非回転洗浄ノズル１３の１つまたは複数の吐出経路とに選択的に供給する分水手段１４とを備えている。なお、洗浄・排水ポンプ８に代えて、洗浄と排水共に専用のポンプを採用することもできる。これにより、洗浄のための配管およびポンプの設置と、排水のための配管とポンプの配置が個別に最適設計できる。
【００２４】
これにより、食器洗い機本体２の洗浄槽４への給水後に洗浄・排水ポンプ８を洗浄方向に駆動すると、洗浄・排水ポンプ８は洗浄槽４内の洗浄水を吸い込み加圧して分水手段１４へ送り出す。分水手段１４は回転洗浄ノズル１２の１つまたは複数の吐出経路と、非回転洗浄ノズル１３の１つまたは複数の吐出経路とに向け同時またはおよび異時に分水させて選択的に供給するので、従来通りの洗浄槽４の底部４ａのほぼ中央部に回転中心１１を有して配置した回転洗浄ノズル１２と、洗浄槽４の四周壁４ｂの後部壁４ｂ１、両側の側壁４ｂ２、４ｂ３の一方、前部壁４ｂ４の少なくとも１つに新規に設けた非回転洗浄ノズル１３との働きを選択的に複合させ、またはこれに、回転、非回転洗浄ノズル１２、１３を選択的に働かせるときの、それらに備えられることのある複数の吐出経路を選択的に働かせることをも複合させて、洗浄水を洗浄槽４の底部４ａおよび四周壁４ｂにおける複数のノズル位置から多様なパターンで、洗浄槽４内に噴出させて食器かご６、７などに載置された被洗浄物を洗浄することができる。
【００２５】
この結果、洗浄槽４の底部４ａのほぼ中央部に回転中心１１を有した回転洗浄ノズル１２と、洗浄槽４の四周壁４ｂの少なくとも１つに設けた非回転洗浄ノズル１３とに、それぞれ有した１つまたは複数有した吐出経路に、洗浄水を選択的に切換え供給することによる、回転、非回転洗浄ノズルの働きの選択的な複合により、または回転、非回転洗浄ノズル１２、１３に備えられることのある複数の吐出経路の働きの選択的な複合が加わって、洗浄水を複数のノズル位置から多様なパターンで洗浄槽４内に噴出させることができ、洗浄水の総噴射域、総噴射密度、洗浄水の噴射向きの多様性が高まるので、より死角のない噴射によって洗浄効率を高められるし、互いに干渉し合う噴射モードどうしは異時となるように選択的に実行すれ洗浄効果は低減しないし、噴射の無駄が省ける。それには、回転洗浄ノズルによる洗浄を最優先して、予想され、または食器配置などの仕様の違いによって傾向が生じる洗浄のウイークポイントに対応した非回転洗浄ノズルを補助的に採用するのが好適である。しかも、複数の吐出経路への分水を異時に行う割合に応じて循環に必要な総水量を抑えてランニングコストも低減できるし圧力損失もより低減する。
【００２６】
なお、洗浄後、洗浄・排水ポンプ８を排水方向に回転させると洗浄槽４内の洗浄水の排水に伴い分水手段１４を通じた回転洗浄ノズル１２や非回転洗浄ノズル１３からの残水を排水してドレン処理をする。
【００２７】
また、洗浄槽４の洗浄・排水ポンプ８が沿う四周壁４ｂの１つが、後部壁４ｂ１や側壁４ｂ２、４ｂ３などであって、家屋の外壁や仕切り壁などの配管引込面に対向させる構成によって引込み位置から洗浄・排水ポンプ８までの配管長さが短縮するし、後部壁４ｂ１、側壁４ｂ２、４ｂ３、前部壁４ｂ４での洗浄・排水ポンプ８の四周方向偏り側を前記引込位置に近い側とすることで前記配管長さはさらに短くなる。また、洗浄・排水ポンプ８は側壁４ｂ２、４ｂ３の前部寄りや、前部壁に沿って設けると、洗浄・排水ポンプ８が食器洗い機本体２の開口部１に近くなるので、その分洗浄・排水ポンプ８の設置やメンテナンスの作業が容易になる。
【００２８】
これらを実行するのに本実施の形態において、食器洗い機本体２は、上記の他、洗浄槽４の底部４ａの回転洗浄ノズル１２に至らない範囲を貯水部４ｅとし、この貯水部４ｅに給水するための給水弁２３、貯水部４ｅに配置したヒータ２５、貯水部４ｅからの排水を図る排水用凹部４ｅ１、洗浄槽４内に温風を送り込む食器乾燥用のファンヒータ２７、排水用凹部４ｅ１に接続された水位センサ２８などを備え、これらを制御手段３１により適時に駆動し、洗い、すすぎおよび乾燥の各行程を逐次制御する。なお、本発明に係る食器洗い機において、乾燥行程は必須ではない。また、分水手段１４は次に詳述するが、洗浄・排水ポンプ８の駆動、駆動停止による洗浄水の加圧、加圧解除に応動して、洗浄水を選択的に供給する弁体３２を内蔵しており、制御手段３１による直接の制御は不要になっている。しかし、動作や制御の方式は特に問うものではなく、例えば、モータなど専用のアクチュエータによって切換え駆動してもよい。
【００２９】
本実施の形態の食器洗い機本体２が備える分水手段１４は、図２〜図５に示してあり、洗浄・排水ポンプ８に連通する流入部をなす弁室１３３と、この弁室１３３の上に設けられて既述した複数の吐出経路、図示例では、回転洗浄ノズル１２に設けた図２、図４、図６に示した２つの吐出経路３４、３５と、非回転洗浄ノズル１３の吐出経路３６に連通する複数の流出路３６、３７と、流出路３８と、弁室１３３内に設けられて流入する洗浄水を複数の流出路３６、３７、３８に選択的に分水させるように切換える前記弁体３２とで構成されている。また、非回転洗浄ノズル１３は、洗浄槽４の底部４ａ付近の分水手段１４との接続端１３ａからの図１に示すような単独の立ち上がり部１３ｂのみ、前記接続端１３ａからの図示していない水平部を経た立ち上がり部、前記接続端１３ａからの図１に例示するように立ち上がり部１３ｂを経た水平部１３ｃ、の少なくともいずれかを備えたものとする。併せ、洗浄・排水ポンプ８は図７に一例を示してあるが、洗浄槽４の四周壁４ｂの後部壁４ｂ１、両側の側壁４ｂ２、４ｂ３の一方、前部壁４ｂ４のうちの１つの、具体例では後部壁４ｂ１の、四周方向一方、具体例では後部に向かって左側に寄った位置に沿って設け、弁室１３３は、分水手段１４において、回転洗浄ノズル１２におけるその回転中心１１と同心の接続口１２ａに対応する流出路、具体的には流出路３６、３７をそれらの流出口３６ａ、３７ａにて接続し回転自在に支持する回転支持部４１と、非回転洗浄ノズル１３の接続端１３ａに対応する流出路、具体的には流出路３８を接続する流出口４２と、の間の位置で各流出路３６、３７、３８に接続するとともに、流出口３６ａ、３７ａは、洗浄・排水ポンプ８が沿う前記四周壁４ｂの１つに、具体的には後部壁４ｂ１に前記一方寄りの側で隣接する隣接壁、具体的には後部に向かって左側の側壁４ｂ３の近傍に位置させたものとしている。
【００３０】
これにより、洗浄・排水ポンプ８は、洗浄槽４の四周壁４ｂの後部壁４ｂ１、両側の側壁４ｂ２、４ｂ３の一方、前部壁４ｂ４のうちの、１つの、四周方向一方に寄った位置に沿って位置し、分水手段１４において、回転洗浄ノズル１２を回転自在に支持する回転支持部４１が洗浄槽４の底部４ａのほぼ中央に位置し、非回転洗浄ノズル１３の接続端１３ａに接続する流出口４２が、洗浄・排水ポンプ８が沿う前記四周壁４ｂの１つである例えば後部壁４ｂ１に前記周方向一方寄りの側で隣接する例えば隣接壁４ｂ２の近傍に位置することになるので、洗浄・排水ポンプ８、分水手段１４およびこれの回転支持部４１と流出口４２が、洗浄槽４の底部４ａのほぼ中央部回転中心１１と１つのコーナ４３とを結ぶ対角線を持ったほぼ１／４領域Ａ以内に、配置できる上、回転支持部４１および流出口４２の間に位置する弁室１３３は、前記１／４領域Ａ内の回転支持部４１よりもさらに近い位置から洗浄・排水ポンプ８に接続できるし、回転支持部４１および流出口４２は、前記１／４領域Ａ内にて回転洗浄ノズル１２の接続口１２ａおよび非回転洗浄ノズル１３の接続端１３ａに接続して、洗浄槽４の底部４ａのほぼ中央に回転中心１１が位置する回転洗浄ノズル１２と、洗浄槽４の四周壁４ｂの少なくとも１つ、具体的には後部壁４ｂ１に設けられる非回転洗浄ノズル１３に対し、洗浄・排水ポンプ８からの短い配管、通路長にて、洗浄水を供給することができる。
【００３１】
この結果、洗浄・排水ポンプ８、洗浄水の選択的供給を行う分水手段１４およびこれの回転支持部４１と流出口４２が、洗浄槽４の底部４ａの１つのコーナ４３側となるほぼ１／４領域Ａ以内に、配置できて配管構造が簡単でかさ張らず食器洗い機１００全体が小型化、軽量化、低コスト化する。また、弁室１３３は近い位置から洗浄・排水ポンプ８に接続し、回転支持部４１よび流出口４２は、前記１／４領域Ａ内にて回転洗浄ノズル１２および非回転洗浄ノズル１３に接続するので、短い接続通路で、前記短い配管と併せ、洗浄・排水ポンプ８の駆動、駆動停止に対する応答性を高めるのに併せて、圧力損失をも抑えられ、洗浄効率の向上、洗浄時間の短縮に有利なものとなる。また、複数の吐出経路への分水を異時に行う割合に応じて循環に必要な総水量を抑えてランニングコストも低減できるし、圧力損失による洗浄効率の低減も防げる。
【００３２】
なお、図示例では、回転支持部４１、弁室１３３、流出口４２は、図２、図７に示すように、ほぼ一直線上に並び、流出口４２は、隣接壁４ｂ２近傍での洗浄・排水ポンプ８側寄りに位置し、非回転洗浄ノズル１３の接続端１３ａからの立ち上がり部１３ｂを経た水平部１３ｃは、少なくとも四周壁４ｂの洗浄・排水ポンプ８が沿う１つである、具体的には後部壁４ｂ１に設け、少なくとも水平部１３ｃに洗浄水を噴出する噴射口４４を設けたものとしている。
【００３３】
このように、回転支持部４１、弁室１３３、流出口４２が、ほぼ一直線上に並ぶことにより、弁室１３３から回転支持部４１に向かう流出路３６、３７と、流出口４２に向かう流出路３８とが、図２に見られるように互いに逆向きに延び、逆向きに延びる流出路のそれぞれが、回転支持部４１に向かう流出路３６、３７のように複数ずつあっても、弁室１３３の平面視した周方向の半周ずつを利用して、弁室１３３まわりの拡張なしに必要な範囲で個別に単純経路で連通さて弁体３２による流出路３６、３７、３８などの切換えを受けられる。また、流出口４２が洗浄・排水ポンプ８側に寄った分だけ、洗浄・排水ポンプ８、分水手段１４およびこれの回転支持部４１と流出口４２との配置が、前記１／４領域Ａ未満に小さくなり、弁室１３３の洗浄・排水ポンプ８との接続距離がさらに短縮するし、非回転洗浄ノズル１３の接続端１３ａからの立ち上がり部１３ｂを経た水平部１３ｃが、少なくとも四周壁４ｂの洗浄・排水ポンプ８が沿う１つに設けられる場合の接続距離も短縮し、水平１３ｃが四周壁４ｂの２つ、３つ、４つに延長される場合や、立ち上がり部１３ｂから周方向両側に分岐する場合にも対応できる。
【００３４】
また、回転支持部４１と、回転洗浄ノズル１２の接続口１２ａとは、図１、図４に示すように、洗浄４の底部４ａよりも上で垂直に接続している。これにより、回転洗浄ノズル１２はその接続口１２ａを洗浄槽４の底部４ａの上で、回転支持部４１に垂直方向から他に邪魔されることなく接続することができる。また、流出口４２と、立ち上がり部１３ｂの接続端とも、洗浄槽４の底部よりも上で垂直に接続している。これにより、非回転洗浄ノズルもその接続端１３ａを洗浄槽４の底部４ａの上で、流出口４２に垂直方向から他に邪魔されることなく接続することができる。
【００３５】
本実施の形態の回転洗浄ノズル１２は、さらに、分水手段１４から洗浄・排水ポンプ８の駆動制御に応じて選択的に供給される吐出経路３６、３７の違いによって、その回転方向が正転と逆転とに切換えられるようにしている。そのための具体的方法は種々考えられるが、洗浄水の噴射口４４からの噴射エネルギーを利用することができる。
【００３６】
また、分水手段１４における弁室１３３は、図７に示すように洗浄・排水ポンプ８側に延びる接続口１３３ｂを有し、回転支持部４１とはほぼ反対側となり、弁体３２とはその回転中心４６を通る放射方向となる反対の側を向いて洗浄・排水ポンプ８と洗浄槽４の底部４ａの下で接続されている。これに対応して、洗浄槽４の底部４ａの洗浄・排水ポンプ８が沿うように設けられる周壁４ｂの部分、図示例では後部壁４ｂ１に沿った洗浄・排水ポンプ８設置範囲に対応して上方へ膨出した膨出部４ｆを設け、この膨出部４ｆの下の空間４７に洗浄・排水ポンプ８を設置し、洗浄・排水ポンプ８の設置によって洗浄槽４のまわりにデッドスペースが生じるのを防止している。これによっても、食器洗い機本体２が大型化するのを抑えられる。
【００３７】
ここで、分水手段１４について詳述する。分水手段１４は、洗浄・排水ポンプ８に連通する流入部をなす既述の弁室１３３と、この弁室１３３の上に設けられて前記複数の吐出経路３３、３４、３５と連通する複数の流出路３６、３７、３８を持った分水通路４８と、弁室１３３内に設けられて流入する洗浄水を複数の流出路３６、３７、３８に選択的に分水させように切換える弁体３２とで構成され、分水通路４８は、複数の流出路３６、３７、３８のうちの少なくとも１つを一体形成して備えると共に、分水通路４８を洗浄槽４内から取り外すことにより、弁体３２を洗浄槽４内から着脱可能にしている。これにより、流出路３６、３７、３８の通水洗浄、弁体３２自体のメンテナンス、弁体３２や弁室１３３の洗浄といったことが容易になり、複雑な通路構造や弁構造部を長期に清潔に保てるし、複雑な切換え動作をする弁体３２の正常な機能も確保しやすい。具体的には、図３に示すように分水通路４８は上下の半殻体を超音波溶着などして複数の流出路３６、３７、３８を一体に形成して、その全体が図３、図４、図７に示すように、洗浄槽４の底部４ａに設けた凹部４９に上方から着脱できるよう嵌め込み、底部４ａと段差がない状態に装着するようにし、併せ、凹部４９の底部に上方に開口１３３ａを持った弁室１３３を固定し、前記装着された分水通路４９の接続口４９ａがシールパッキン５１を介し着脱できるように上下方向に接続されるようにしている。これにより、弁室１３３および分水通路４８を洗浄槽４内から着脱できるようにするにも、洗浄槽４内に大きく突出して他の邪魔になってデッドスペースができたりしない。特に、分水手段とこれに隣接する洗浄槽４の底部４ａとがほぼ同等の高さ関係とすると、清掃時に引っ掛りをなして作業の邪魔になったり外力を受けて損傷するようなことを防止することができる。シールパッキン５１は接続口４８ａの外まわりに装着して、開口１３３ａの内周との間をシールするようにしてあるが、開口１３３ａの内周側に装着しておくこともできる。
【００３８】
弁体３２は、弁室１３３の流入部と分水通路４８の複数の流出路３６、３７．３８との間を進退および回転移動することにより、前記流入部から流入した洗浄水を複数の流出路３６、３７、３８を通じて吐出する吐出経路３３、３４、３５を切換えるようにしている。このために、図３、図８（ａ）に示すように、分水通路４８の接続口４８ａに、弁室１ ３３から分水通路４８内の３つの流出路３６、３７、３８へ個別かつ維持に分水する４つの分水開口４８ａ１〜４８ａ４を弁体３２の回転中心４６まわりに、放射状のリブ４８ａ５により均等な大きさに仕切って形成して、図２に示すように分水開口４８ａ１、８ａ２は流出路３６に、分水開口４８ａ３は流出路３７に通じ、分水開口４８ａ４は流出路３８に通じるようにしている。
【００３９】
弁体３２は、図３に示すように弁室１３３の底部に一体成形するなどして設けたガイド軸６０まわりに回転自在でかつ上下動して前記分水通路４８の接続口４８ａに対し上下方向に離接する円盤状のものとし、接続口４８ａへの当接時、ガイド軸６０まわりの回転によって前記分水開口４８ａ１〜４８ａ４のいずれか１つを開口させる回転中心４６まわりの１／４範囲を図８（ｂ）（ｄ）に示すように切除するなどした通水部３２ａを形成している。これにより、弁体３２は、洗浄・排水ポンプ８の駆動、駆動停止による洗浄水圧の有無に応動して、複数の分水開口４８ａ１〜４８ａ４を持った接続口４８ａに所定の回転位置にて当接し特定の１つ以外を塞いで特定の１つを通水部３２ａにて通じ分水する分水位置と、接続口４８ａから離れて各分水開口４８ａ１〜４８ａ４の全てを開放する分水しない非分水位置との間で上下移動し、この弁体３２の分水位置と非分水位置との間の往復動作に伴い、弁体３２が分水開口４８ａ１〜４８ａ４を閉じる回転位置を変更していくように上部カム対６１と下部カム対６２とが交互に働くようになっている。
【００４０】
さらに具体的には、下部カム対６２は互いに噛み合う鋸歯状カム６２ａ、６２ｂ同士であり、双方は弁体３２を１／４回転位置ずつに安定させる案内条件を持っている。一方、上部カム対６１は山形カム６１ａと分水口４８ａ１〜４８ａ４を仕切るリブ４８ａ５の下端がなす放射状カム６１ｂとであり、弁体３２が下部カム対６２によって安定していた非分水位置から洗浄水圧によって押し上げられたとき、山形カム６１ａの斜面が放射状カム６１ｂの途中位置から当接させて弁体３２を分水位置まで１／４回未満回転させて安定させる機能を持ち、洗浄水圧解除によって分水位置から弁体３２が落下すると、下部カムタ対６２の鋸歯状カム６２ａ、６２ｂ同士は互いの歯の途中位置で噛み合い、弁体３２を前記上部カム対６１による１／４回未満回転から１／４回転までの残りを回転させて安定させる機能を持っている。
【００４１】
これにより、弁体３２は分水位置に上動する都度上動前の安定回転位置から１／４回転未満回転させられ、弁体３２は一旦分水位置に上動した後落下する都度下部カム対６２の噛み合わせ位置が次の１／４回転位置へ安定させるように変更される。この結果、複数の分水開口４８ａ１〜４８ａ４のうち１つずつが順次に開放され、分水開口４８ａ１から回転洗浄ノズル１２の流出路３６を経た回転洗浄ノズル１２の吐出経路３３への分水、分水開口４８ａ２から回転洗浄ノズル１２の流出路３６を経た回転洗浄ノズル１２の吐出経路３３への分水、分水開口４８ａ３から流出路３７を経た吐出経路３４への分水、分水開口４８ａ４から流出路３８を経た非回転洗浄ノズル１３の吐出経路３５への分水が、順次に、繰り返されることになる。
【００４２】
ここに、制御手段３１が洗浄・排水ポンプ８の駆動停止を挟む駆動時間を一定とする制御では、洗浄・排水ポンプ８からの洗浄液を分水開口４８ａ１、４８ａ２を通じて回転洗浄ノズル１２の吐出経路３６に２回繰り返し供給し回転洗浄ノズル１２を正回転させて洗浄に供する時間は、洗浄・排水ポンプ８からの洗浄液を分水開口４８ａ３を通じて回転洗浄ノズル１２の吐出経路３７に供給し回転ノズル１２を逆転させて洗浄に供する時間と、分水開口４８ａ４から流出路３８を通じて非回転洗浄ノズル１３の吐出経路３５に供給し洗浄に供する時間の双方に対して、２倍となる。
【００４３】
これは、回転洗浄ノズル１２から噴射する洗浄水が、食器の食物を入れる内側となる凹部に行き届きやすくするため、例えば、図９に例示するように、回転洗浄ノズル１２の洗 浄槽４の底部４ａのほぼ中央に位置する回転中心１１を通り、かつ、洗浄槽４の四周壁４ｂの相対向し合う２つの周壁４ｂ１、４ｂ４に直角な直線７１を境に、食器７２の内側が相対向し合う対称な向きに載置されるように食器かご６を最適設計したことに対し、回転洗浄ノズル１２の正転にて、最適配置された前記食器７２などに対する洗浄が十分であるように噴射条件などを最適設計していることに対応している。
【００４４】
つまり、回転洗浄ノズル１２の正転洗浄にて通常は十分であるところ、洗浄時間の短縮、被洗浄物の収容量の増大、被洗浄物の配置形態のばらつきなどに起因したウイークポイントへの洗浄補助を逆転洗浄で補い、より短時間でより洗い残しなく洗浄できるようにしている。また、図９に示すように内側が対向し合うように対称配置する食器７２の一方側が大きく、他方側が小さくなるように食器かご６を設計した場合、図１に示す場合は前後に対向し合い、前部側の食器が大きく後部側の食器が小さい場合、小さい食器を配置する領域の上方に空間ができるので、この空間にも図１に示すように食器かご７を設けて洗浄槽４内を有効利用するが、この食器かごの領域を回転洗浄ノズル１２の適正洗浄範囲にするには困難や無駄があったりするので、これを回転洗浄ノズル１２のウイークポイントとして回転洗浄ノズル１２の洗浄負荷を軽減しておき、既述した非回転洗浄ノズル１３の主として水平部１３ｃによって洗浄を補助できるようにしており、立ち上がり部１３ｂの食器かご７に対応する範囲に噴射口４４を設けることで洗浄の補助機能を高めている。この意味で、水平部１３ｃは立ち上がり部１３ｂを設けた側壁４ｂ２と反対の側壁４ｂ３へも延長するのが好適であるし、さらに、前部壁４ｂ４へも延長することも考えられる。このような洗浄の補助機能から、水平部１３ｃは四周壁４ｂの全周にあるのが最強となるし、水平部１３ｃの延長域とはべつに、立ち上がり部１３ｂから周方向両側に分岐させて設けることもでき、この場合両側に分岐する水平部１３ｃの高さや延長経路に違いを持たせると、洗浄槽４内の広い洗浄域内での高さ方向、平面方向の場所ごとで異なる洗浄負荷の違いに対応しやすい。
【００４５】
もっとも、図示例での４つの分水開口４８ａ１〜４８ａ４を通じた分水を、前記非回転洗浄ノズル１３の吐出経路３５が１つであるのを２つにするなどして、既存の吐出経路３３、３４、３５に増設分を加えた４つに対し、行うようにすると、前記洗浄・排水ポンプ８の駆動制御では、回転洗浄ノズル１２の吐出経路３３への分水時間と、回転洗浄ノズル１２の吐出経路３４、非回転洗浄ノズル１３の吐出経路３５および追加吐出経路への分水時間とが同じになってしまう。
【００４６】
しかし、分水手段１４から洗浄・排水ポンプ８の駆動制御に応じて選択的に供給される回転洗浄ノズル１２の各吐出経路３３、３４の違いによって、その回転方向が正転と逆転とに切換えられる場合の、正転時間と逆転時間とが所定の割合となるように、制御手段３１は洗浄・排水ポンプ８の駆動を自由に制御することができる。それには、制御手段３１は、洗浄・排水ポンプ８の正転時と逆転時とのそれぞれの駆動時間の割合により、回転洗浄ノズル１２の正転時間と逆転時間との割合を制御すればよい。正転と逆転とで洗浄効果が変わらない関係では、正転時間と逆転時間とは同等に設定することもできる。
【００４７】
もっとも、吐出経路３６、３７、３８や前記追加分、さらなる追加分を含め、それに対応した分水開口４８ａ１〜４８ａ４や追加分を含めたものからの分水時間の割合は、制御手段３１による各分水制御持の洗浄・排水ポンプ８の駆動時間の割合によって自由に設定、制御できる。
【００４８】
回転洗浄ノズル１２の正転時間と逆転時間の割合を制御する場合、回転洗浄ノズル１２の回転方向検知手段を備え、制御手段３１が、回転洗浄ノズルの正転時と逆転時との前記回転方向検知手段からの出力に基づき、正転時間と逆転時間とが所定の割合となるように制御するようにできる。
【００４９】
また、別に、２つの吐出経路３３、３４に供給される洗浄水の流れを検知する流水検知手段を備え、制御手段３１が、回転洗浄ノズル１２の正転時と逆転時との流水検知手段からの出力に基づき、正転時間と逆転時間とが所定の割合となるように制御するようにもできる。
【００５０】
さらに、別に、弁体３２の２つの流出路３６、３７を介した２つの吐出経路３３、３４への洗浄水の供給切換え位置を検知する弁体位置検知手段を備え、制御手段３１、回転洗浄ノズル１２の正転時と逆転時との前記弁体位置検知手段からの出力に基づき、正転時間と逆転時間とが所定の割合となるように制御するようにもできる。
【００５１】
図示する例では、さらに、分水手段１４が分水通路４８の一端にある回転支持部４１によって回転洗浄ノズル１２の接続口１２ａを回転自在に支持して２つの流出路３６、３７を、図２に示すように回転洗浄ノズル１２の両端間に及んで平面視回転中心軸１１部でクロスするようにクロス配置された２つの吐出経路３３、３４に、前記回転中心１１まわりで連通させるのに、流出路３７から吐出経路３７への流出口３７ａと、流出路３６から吐出経路３３への流出口３６ａとを、図４に示すように回転中心１１まわりに同心な内外二重通路構造の流出口３６ａ、３７ａとして回転支持部４１に開口させ、吐出経路３３、３４の導入口１２ａ１、１２ａ２を、回転中心１１まわりに同心な内外二重通路構造の導入口１２ａ１、１２ａ２として接続口１２ａに開口させ、接続口１２ａの回転支持部への接続によって、それら流出口３６ａ、３７ａと導入口１２ａ１、１２ａ２とが繋がり、この内外二重通路構造の導入口１２ａ１、１２ａ２が、吐出経路３３、３４のクロス域における吐出経路３３、３４との平面視互いに回転中心１１を中心とする点対称配置となる２箇所ずつの導入部１２ａ３、１２ａ４に連通させるようにしている。これにより、分水通路４８の流出路３６から回転洗浄ノズル１２の吐出経路３３への分水時の洗浄水の流れも、分水通路４８の流出路３７から回転洗浄ノズル１２の吐出経路３４への分水時の洗浄水の流れも、回転洗浄ノズル１２の回転にもかかわらず、また、その回転位置の違いにも関わらず、回転中心に同心な内外二重通路構造によって脈動や乱れなく安定した回転中心１１まわりにほぼ均等な層流状態となって各吐出通路３３、３４にほぼ均等に導入されるし、各吐出通路３３、３４へはそれらが回転軸１１まわりのクロス域における回転中心１１を中心とする点対称配置となる２箇所ずつの導入連通部１２ａ３、１２ａ４を通じて、回転洗浄ノズル１２の回転バランスを崩すことなく導入されるので、回転洗浄ノズル１２は正転も逆転も振動や脈動、回転むらといったことなく安定に回転し、回転による洗浄効果が低下したり回転位置によってむらが生じたりしない。これには、流出路３６、３７から吐出路３３、３４に分水する通路断面積が双方同等になるように設計されるのが好適である。
【００５２】
また、回転支持部４１は図４に示すように、これを持った分水通路４８において、弁室１３３からからの横向きとなって洗浄槽４の底部４ａに沿って延びる延出経路範囲Ｂから回転中心方向に向け屈曲した上向きとなる屈曲経路範囲Ｃをなし、この屈曲回路範囲Ｃの少なくとも外コーナＣ１側は滑らかな湾曲形状をなしその湾曲のための湾曲高さ領域Ｈを有したものとしている。これによって、分水通路４８の流出路３６、３７に分水された洗浄水は、前記横向き回路範囲Ｂから滑らかな屈曲経路範囲Ｃを経て無理なく、乱れることなく、垂直な上向きとなっている回転支持部４１の回転中心１１に同心な内外二重通路構造をなす流出口３６ａ、３７ａに向けスムーズに案内されて、同じく垂直で回転中心１１に同心な内外二重通路構造をなす導入口１２ａ１、１２ａ２へ衝突や偏り、乱れなどなく真上に流れ込んで、前記導入連通口１２ａ３、１２ａ４を通じて吐出経路３３、３４に回転中心１１まわりにバランスよく導入されるので、回転洗浄ノズル１２の回転のバランス、安定性がさらに向上する。例えば屈曲経路範囲Ｃの内面の曲率は、分水通路４８の横断面形状をほぼ円形とした場合、その内径のほぼ１／２以上とすることが乱流の発生の抑 制および圧力損失の低減という点で好適であり、例えば、分水通路４８の内径が２０ｍｍとし、屈曲経路範囲Ｃの曲率を１０ｍｍ以上とするのがよい。また、屈曲経路範囲Ｃの内コーナの内面が角張れば、下流側に乱流やキャビテーションが生じやすくなるので、外コーナ側より曲率は十分小さくてよいが、軸線方向の曲面としておくことが望ましい。
【００５３】
このために、本例では、前記横向きの延出経路範囲Ｂは、弁室１３３との接続高さ位置Ｈ０から回転支持部４１側に向って下向き傾斜となる部分Ｂ１を有したものとしており、延出経路の弁室から回転支持部側への下向きの傾斜によって、屈曲経路を湾曲形状とするための湾曲高さ領域Ｈが、弁室設置の高さ領域Ｈ１と並列な関係にて確保でき、それが沿う洗浄槽の壁からのかさ張りをさらに抑えられる。しかし、接続高さ位置Ｈ０よりも低い部分には洗浄水が残るので、好適には、弁室１３３と共にドレン排水を適時に実施すればよい。しかし、延出経路範囲Ｂを図４に仮想線で示すような水平方向以上の高さで延出させまたは上向き傾斜とすることにより、湾曲高さ領域Ｈ１の下端壁４８ａは、弁室３２との接続高さＨ０以上となるので、天部壁４８ｃの高さや形状に関係なく、洗浄水を弁室１３３に流れ込ませて途中に残るのを回避し、弁室１３３一か所にてドレン処理ができる。
【００５４】
もっとも、複数の洗浄ノズルを備えて洗浄効果を高めるのに、少なくとも１つを回転洗浄ノズル１２とし、底部４ａの中央部に配置して優先使用するのが好適な１つの態様ではあるが、これに限られることはなく、少なくとも１を前記立ち上がり部１３ｂ、水平部１３ｃを有した非回転洗浄ノズル１３として、他の１つまたは複数の洗浄ノズルと選択的に複合して働かせて洗浄効果を高めることもできる。
【００５５】
この場合、立ち上がり部１３ｂは図７に示したように、平面視して洗浄・排水ポンプ８から外れた位置にて一端部である接続端１３ａが洗・排水ポンプ８よりも高い位置まで立ち上げ、水平部１３ｃは、立ち上がり部１３ｂの一端部に接続され、平面視して洗浄・排水ポンプ８の少なくとも上方を経由するかまたは上方に位置して四周４ｂの少なくとも１つに設けたものとするだけで、食器洗い機本体２の洗浄槽４への給水後に洗浄・排水ポンプ８を給水方向に駆動すると、洗浄・排水ポンプ８は洗浄槽４内の洗浄水を吸い込み加圧して分水手段１４へ送り出し、分水手段１４は少なくとも１つが非回転洗浄ノズル１３であり、他が回転洗浄ノズル１２などである複数の洗浄ノズルの１つまたは複数の吐出経路３３、３４、３５に向け同時またはおよび異時に分水させて選択的に供給するので、少なくとも１つの非回転洗浄ノズル１２を含む複数の浄ノズルとそれらが持つ１つまたは複数の吐出経路３３、３４、３５による洗浄作用を選択的に複合させて、洗浄水を複数のノズル位置から多様なパターンで、洗浄槽４内に噴出させて食器かご６、７に載置された食器７２などの被洗浄物を洗浄することができる。
【００５６】
しかも、非回転洗浄ノズル１３は、洗浄槽４の底部４ａまわりに設けられる洗浄・排水ポンプ８からの洗浄水を分水手段１４による分水にて、立ち上がり部１３ｂを通じ水平部１３ｃに供給されて噴射させるが、水平部１３ｃは洗浄槽４の四周壁４ｂの少なくとも１つに、それに沿って配置した洗浄・排水ポンプ８の上方を経由するか上方に位置して設けたことにより、平面視して洗浄・排水ポンプ８から外れた立ち上がり部１３ｃを含み洗浄・排水ポンプ８からの分水手段１４を介した給水経路長を、洗浄・排水ポンプ８と邪魔し合わない引き回し経路にて短くすることができる。また、立ち上がり部１３ｂによって水平部１３ｃを洗浄槽４の必要所定高さに位置させて、他の洗浄ノズルと複合して働かせられる。
【００５７】
また、図７に仮想線で示すように、立ち上がり部１３ｂを複数の吐出経路３５、３５ａで構成し、この複数の吐出経路３５、３５ａにそれぞれ対応させて水平部１３ｃおよびその吐出経路３５、３５ａを設けるとともに、立ち上がり部１３ｎの複数の吐出経路３５、３５ａを少なくとも接続端13ａにおいて一体成形成するなどして、それぞれに対応させて一 体成形するなどして分水通路４８に設けた複数の流出口４２、４２ａに同時に接続、分離可能に設けたものとすることができる。これにより、非回転洗浄ノズル１３に複数の吐出経路３５、３５ａを備えて洗浄水の噴射域を増大させて洗浄効果を高めながら、分水手段１４との接続はその分水通路４８における複数の流出口４２、４２ａに対して同時に、つまり一挙動にて接続および分離することができる。
【００５８】
なお、弁室１３３は図１０に示すように、洗浄槽４の底部４ａと一体形成して部品点数と組み立て工数とを低減してさらにコスト低下を図ることができる。具体的には、洗浄槽４の底部４ａの分水通路４８を嵌め込む凹部４９の底部に弁室１３３の開口１３３ａ部で繋がるように一体成形してある。他の構造は先の例の分水通路４８および弁室１３３、弁体３２がなす分水手段１４と変わるところはなく、共通する部材や部分には同一の符号を付して説明は省略する。
【産業上の利用可能性】
【００５９】
本発明は引き出し式の洗浄槽を持った食器洗い機に実用して、回転洗浄ノズル、非回転洗浄ノズルを組み合わせて、それらに１つまたは複数設けられる各吐出経路への同時またはおよび異時での選択的な分水によって、洗浄域が広域で洗浄時間を短縮しても、十分な洗浄効果を発揮する。
【図面の簡単な説明】
【００６０】
【図１】本発明に係る食器洗い機の概略構造を説明するための断面図。
【図２】同食器洗い機に用いる分水手段と回転洗浄ノズルとの関係を示す斜視図。
【図３】同食器洗い機に用いる分水手段の弁室を用いた分水機能部を示す横断図。
【図４】同食器洗い機の分水手段の設置構造および回転、非回転ノズルとの関係を示す要部断面図。
【図５】同食器洗い機に用いる分水手段における流出路とその流出口との関係を示す水平方向断面図。
【図６】同食器洗い機に用いる回転洗浄ノズルの要部を断面して見た一部平面図。
【図７】同食器洗い機の洗浄槽内の俯瞰図。
【図８】分水室と分水通路との間の弁体動作機構を（ａ）〜（ｄ）に分解ないし展開して示す説明図。
【図９】同食器洗い機に用いる食器かごと食器の載置状態を示す斜視図。
【図１０】同食器洗い機に用いる分水手段と洗浄槽との別の関係例を示す斜視断面図。
【符号の説明】
【００６１】
１００  食器洗い機
１  開口部
２  食器洗い機本体
３  開口
４  洗浄槽
４ａ  底部
４ｂ  四周壁
４ｂ１  後部壁
４ｂ２、４ｂ３  側壁
４ｂ４  前部壁
４ｆ  膨出部
４７  空間
６、７  食器かご
８  洗浄・排水ポンプ
１１  回転中心
１２  回転洗浄ノズル
１２ａ  接続口
１２ａ１、１２ａ２  導入口
１２ａ３、１２ａ４  導入連通口
１３  非回転洗浄ノズル
１４  分水手段
２３  給水弁
２５  ヒータ
２６  排水ポンプ
２７  ファンヒータ
３１  制御手段
３２  弁体
１３３  弁室
３３、３４、３５、３５ａ  吐出経路
３６、３７、３８  流出路
３６ａ、３７ａ、４２、４２ａ  流出口
４１  回転支持部
４４  噴射口
４７  空間
４８  分水通路
７２  食器
【図１】
0004708403.tif 000002
【図２】
0004708403.tif 000003
【図３】
0004708403.tif 000004
【図４】
0004708403.tif 000005
【図５】
0004708403.tif 000006
【図６】
0004708403.tif 000007
【図７】
0004708403.tif 000008
【図８】
0004708403.tif 000009
【図９】
0004708403.tif 000010
【図１０】
0004708403.tif 000011